(57)【特許請求の範囲】
【請求項１】
偏光顕微鏡の検光子インサートであって、
−顕微鏡光路に挿入可能なホルダ（５）に、外側にある調節ホイル（２）を設置し、回転自在の検光子フレーム（４）に、挿入方向へ上記調節ホイル（２）から間隔を置いて、顕微鏡光路に挿入される内側の検光子（３）を設置し、
−調節ホイル（２）の回転運動を検光子（３）に伝達するための伝達手段を調節ホイル（２）と検光子（３）との間に設けた形式のものにおいて、
−調節ホイル側の外側のレバー端（１０，１１）および検光子側の内側のレバー端（１２，１３）を、夫々、調節ホイル（２）および検光子フレーム（４）の縁の近傍の支持軸（１４）に回転自在に支持した２つの等長の平行な調節リンク（８，９）が、伝達手段として設けてあり、
−上記支持軸（１４）は、調節ホイル（２）の回転軸（１５）および検光子フレーム（４）の回転軸（１６）に関して、それぞれ、２つの等長の相互に直角をなすレバーアーム（１７）を形成し、
−検光子（３）の０°位置では、すべての支持軸（１４）が、調節ホイル（２）および検光子フレーム（４）の回転軸（１５，１６）を結ぶ線に関して同一の側にかつ同一の直線上にあり、
−検光子（３）の９０°位置では、双方の調節リンク（８，９）は、相互に最大に離れており、
−検光子（３）の１８０°位置では、すべての支持軸（１４）が、両回転軸（１５，１６）を結ぶ線に関して他の側に、かつ検光子（３）の０°位置によって定められる直線に平行に延びる唯一つの直線上に位置する、
ことを特徴とする検光子インサート。
【請求項２】
支持軸（１４）は、調節ホイル（２）および検光子フレーム（４）の上側または調節ホイル（２）および検光子フレーム（４）の下側に設置されていることを特徴とする請求項１に記載の検光子インサート。
【請求項３】
双方の調節リンク（８，９）が、２つの平面内に重畳して位置し、この場合、双方の調節リンク（８，９）は、異なる高さに支持されていることを特徴とする請求項１または２に記載の検光子インサート。
【請求項４】
双方の調節リンク（８，９）が、同一平面内に位置し、この場合、双方の調節リンク（８，９）のレバー端（１０，１１，１２，１３）は、折曲端として構成されることを特徴とする請求項１または２に記載の検光子インサート。
【請求項５】
検光子フレーム（４）が、フレーム回転軸（１６）に垂直をなし重畳する２つの円環セグメント状スリット（２０，２１）を有し、上記スリットには、支持軸（１４）が設けてあることを特徴とする請求項１−４の１つに記載の検光子インサート。
【請求項６】
スリット（２０，２１）が同じ範囲に形成されていることを特徴とする請求項５に記載の検光子インサート。
【請求項７】
一方のスリット（２０）は、検光子フレーム（４）の表面に切欠き部として加工され、他方のスリット（２１）は、検光子フレーム（４）に該一方のスリット（２０）の下方に加工形成されていることを特徴とする請求項５または６に記載の検光子インサート。
【請求項８】
調節ホイル（２）には、２つの突出するピン（２７）が、検光子（３）の０°位置および１８０°位置に対応して、設置してあり、検光子インサート（１）のホルダ（５）には、上記ピン（２７）の旋回範囲に、検光子（３）の０°位置および１８０°位置のオーバランを阻止するストッパねじ（２８）が設けてあることを特徴とする請求項１−７の１つに記載の検光子インサート。
【請求項９】
調節リンク（８，９）が、検光子フレーム（４）に支持したレバー端（１２，１３）に、切欠きを有し、該切欠きが、検光子（３）の縁部に適合し、調節ホイル（２）および検光子（３）のすべての位置において検光子（３）の光学的作用面外に調節リンク（８，９）が保持されることを保証することを特徴とする請求項１−８の１つに記載の検光子インサート。
【請求項１０】
支持軸（１４）が、支持ピンとして構成されていることを特徴とする請求項１−９の１つに記載の検光子インサート。
【請求項１１】
調節リンク（８，９）が、薄い金属板片からなることを特徴とする請求項１−１０の１つに記載の検光子インサート。
【請求項１２】
検光子（３）が、顕微鏡光路の光軸に対して僅かに傾斜させて検光子フレーム（４）内に設置されていることを特徴とする請求項１−１１の１つに記載の検光子インサート。
【請求項１３】
検光子インサートのうち偏光顕微鏡内に導入される部分の最大厚さが、５ｍｍであることを特徴とする請求項１−１２の１つに記載の検光子インサート。
【発明の詳細な説明】
【０００１】
【技術分野】
本発明は、請求項１の上位概念（前置部）の特徴を有する偏光顕微鏡用検光子（差込式）インサートに関する。即ち、本発明は、顕微鏡光路に挿入可能なホルダに、外側にある調節ホイルを設置し、回転自在の検光子フレームに、挿入方向へ上記ホイルから間隔を置いて、顕微鏡光路に挿入される内側の検光子を設置し；調節ホイルの回転運動を検光子に伝達するための伝達手段を調節ホイルと検光子との間に設けた形式の偏光顕微鏡の検光子インサートに関する。なお、上記の「外側」、「内側」とは、検光子インサートないしホルダを顕微鏡光路に挿入した場合において、該検光子インサートないしホルダの顕微鏡光路ないし光軸からより遠くに位置する側を「外側」といい、該検光子インサートないしホルダの顕微鏡光路ないし光軸からより近くに位置する側を「内側」という。
【０００２】
【背景技術】
ドイツ実用新案ＤＥ−ＧＭ６９−２２３２６には、顕微鏡光路に挿入されるホルダに、外側にある手動調節ホイルを設置し、  回転自在の検光子フレームに、挿入方向へ上記ホイルに隣接して、顕微鏡光路に挿入される内側の検光子を設置した形式の偏光顕微鏡用検光子インサートが記載されている。調節ホイルに設けたねじと検光子フレームに設けたリングギヤとからなる組合せ伝動機構は、調節ホイルの運動を検光子に伝達するのに役立つ。この構造の欠点は、歯車伝動機構が、一方では、極めて高価格であり、他方では、検光子インサートのための大きい組込スペースが必要であるという点にある。
【０００３】
ドイツ特許公告ＤＥ−ＡＳ第１２７８１３４号には、ホルダに結晶片を設けた偏光顕微鏡用補助干渉装置が記載されている。この干渉装置は、押し棒によって顕微鏡光路に直角に摺動させ、係止装置によって所定の係止位置にセットできる。結晶片の係止位置間の位置決めと回転は不可能である。更に、押し棒および係止装置は、大きいスペースを必要とする。
【０００４】
【発明の開示】
本発明の課題は、検光子のために１８０°の調節範囲を有し、正確でスリップのない調節を実現でき高さが低く且つ価格が妥当な検光子インサートを創成することにある。
【０００５】
この課題は、独立請求項１の特徴を有する検光子インサートによって解決される。即ち、本発明の一視点によれば、検光子インサートにおいて、調節ホイル側の外側のレバー端および検光子側の内側のレバー端を、夫々、調節ホイルおよび検光子フレームの縁の近傍の当該支持軸に回転自在に支持した２つの等長の平行な調節リンクが、伝達手段として設けてあり；上記支持軸が、調節ホイルの回転軸および検光子フレームの回転軸に関して、それぞれ、２つの等長の相互に直角をなすレバーアームを形成し；検光子の０°位置（出発位置）では、すべての支持軸が、調節ホイルおよび検光子フレームの回転軸を結ぶ線に関して同一の側にかつ同一の直線上にあり；検光子の９０°位置（中央位置）では、双方の調節リンクが、相互に最大に離れており；検光子の１８０°位置（終点位置）では、すべての支持軸が、両回転軸を結ぶ線に関して他の側に、かつ検光子の０°位置（出発位置）によって定められる直線に平行に延びる唯一つの直線上に位置することを特徴とする（形態１・基本構成）。
従属請求項に有利な実施形態を開示した。即ち、
（形態２）  上記形態１の検光子インサートにおいて、支持軸は、調節ホイルおよび検光子フレームの上側または調節ホイルおよび検光子フレームの下側に設置されていることが好ましい。
（形態３）  上記形態１または２の検光子インサートにおいて、双方の調節リンクが、２つの平面内に重畳して位置し、この場合、双方の調節リンクは、異なる高さに支持されていることが好ましい。
（形態４）  上記形態１または２の検光子インサートにおいて、双方の調節リンクが、同一平面内に位置し、この場合、双方の調節リンクのレバー端は、折曲端として構成されることが好ましい。
（形態５）  上記形態１〜４の何れかの検光子インサートにおいて、検光子フレームが、フレーム回転軸に垂直をなし重畳する２つの円環セグメント状スリットを有し、上記スリットには、支持軸が設けてあることが好ましい。
（形態６）  上記形態５の検光子インサートにおいて、スリットが同じ範囲に形成されていることが好ましい。
（形態７）  上記形態５または６の検光子インサートにおいて、一方のスリットは、検光子フレームの表面に切欠き部として加工され、他方のスリットは、検光子フレーム（４）に該一方のスリットの下方に加工形成されていることが好ましい。
（形態８）  上記形態１〜７の何れかの検光子インサートにおいて、調節ホイルには、２つの突出するピンが、検光子の０°位置および１８０°位置に対応して、設置してあり、検光子インサートのホルダには、上記ピンの旋回範囲に、検光子の０°位置および１８０°位置のオーバランを阻止するストッパねじが設けてあることが好ましい。
（形態９）  上記形態１〜８の何れかの検光子インサートにおいて、調節リンクが、検光子フレームに支持したレバー端に、切欠きを有し、該切欠きが、検光子の縁部に適合し、調節ホイルおよび検光子のすべての位置において検光子の光学的作用面外に調節リンクが保持されることを保証することが好ましい。
（形態１０）  上記形態１〜９の何れかの検光子インサートにおいて、支持軸が、支持ピンとして構成されていることが好ましい。
（形態１１）  上記形態１〜１０の何れかの検光子インサートにおいて、調節リンクが、薄い金属板片からなることが好ましい。
（形態１２）  上記形態１〜１１の何れかの検光子インサートにおいて、検光子が、顕微鏡光路の光軸に対して僅かに傾斜させて検光子フレーム内に設置されていることが好ましい。
（形態１３）  上記形態１〜１２の何れかの検光子インサートにおいて、検光子インサートのうち偏光顕微鏡内に導入される部分の最大厚さが、５ｍｍであることが好ましい。
【０００６】
本発明に係る検光子インサートの場合、調節ホイルの回転運動は、２つの等長の平行な調節リンクによって回転自在の検光子に伝達される。このため、調節リンクの一端および他端は、それぞれ、調節ホイルおよび検光子フレームの縁の近傍の支持軸（枢軸）に回転自在に支持（枢支）されている。支持軸（複数）は、それぞれ相互に９０°の角度をなし回転軸に関して等長のレバーアーム（Krafthebel,即ち力の作用点と回転中心を結ぶてこのアーム）を調節ホイルおよび検光子にそれぞれ形成するよう、配置されている。
【０００７】
０°位置に対応する出発位置では、４つのすべての支持軸は、１つの直線上にある。この状態を達成するため、例えば、１つの調節リンクは、他の調節リンクよりも高い位置（レベル）に支持されている。かくして、出発位置において調節リンクを部分的に重畳させることができる。他の方式の場合、それぞれ折曲端部を有する調節リンクを構成する。かくして、双方の調節リンクを同じ高さ（レベル）に支持した場合にも、４つの支持軸は、１つの直線上に位置できる。更に、調節リンクには、相互の支持軸に対する当接を阻止する切欠き（複数）を設けることができる。
【０００８】
調節ホイルの回転によって、調節ホイルの支持軸も検光子フレームの支持軸も更に回転され、双方の調節リンクの相互間隔が増大される。９０°位置において、上記調節リンク間の相互間隔は最大となり、双方の調節リンクは、調節ホイルの回転軸および検光子フレームの回転軸を結ぶ線の両側に対称に位置する。更に回転すると、調節リンクの間隔が再び減少し、その結果、４つの支持点は、出発位置とは反対側の１８０°位置において、再び１つの直線上に位置する。この位置についても、０°位置について説明した如く調節リンクおよびその配置を構成すれば有利であることが判明している。
【０００９】
上述のジオメトリの調節リンクを使用することによって、０°と１８０°との間で均一で正確な回転運動が可能であり、調節ホイルの回転時および力伝達時に死点が現れるのが避けられる。
【００１０】
調節リンクが検光子面を（横切って）掃過して顕微鏡光路に陰影を生ずることのないよう、調節ホイルの回転は、正しい方向へ行わなければならない。これは、０°位置または１８０°位置を越える回転を阻止するマークまたはストッパによって達成される。
【００１１】
このため、支持軸を調節ホイルおよび／または検光子フレームにそれぞれ同一面内に設置するのが有利である。この場合、同一面に設けた調節リンクのいずれか一方は、終点位置“０°”および“１８０°”では、それぞれ他の（調節リンクの）支持軸にぶつかり、もはや回転しない。特に偏平な構造形状を達成するため、調節リンクを薄い金属板から構成できる。調節リンクは、相互にぶつかった場合、湾曲するおそれがある。これを阻止するため、検光子インサートにオーバラン防止部材を付加して装備すれば好ましい。この場合、２つの突出するピンを検光子の０°または１８０°調節位置に対応して調節ホイルに設置する。ホルダには、上記ピンの旋回範囲に、検光子の０°または１８０°調節位置においてピンが当接するストッパねじが設けてある。かくして、対応する位置のオーバランが阻止される。
【００１２】
調節リンクは、同一の薄い金属板から妥当な価格で作製できる。簡単な金属ピンを支持軸として使用できる。金属板片の端部には、ピンの径よりも僅かに大きい径を有する（嵌合い）ボアを穿設する。かくして、調節リンクは、支持軸のまわりに遊びなく回転できる。
【００１３】
従って、本発明に係る検光子インサートは、簡単であり、安価な構造部材から構成でき、従って、歯車または駆動ベルトを含む公知の検光子インサートよりも本質的に安価である。公知のインサートに現れるスリップの問題も存在しない。なぜならば、力伝達が、剛な調節リンクによって直接に行われるからである。
【００１４】
調節リンクの使用によって、特に偏平な構造形状が得られる。特に、調節リンクとして薄い金属板片を使用したことに伴い、検光子の前の透明な保護カバーも含めてインサートの厚さを５ｍｍに限定できる。
【００１５】
【発明を実施するための最良の形態】
略図を参照して以下に本発明のこのような実施例を詳細に説明する。なお、特許請求の範囲に付した図面参照符号は、専ら発明の理解を助けるためのものに過ぎず、本発明を図示の態様に限定することを意図するものではない。
【００１６】
図１ａに、０°位置の検光子（差込式）インサート（ないし検光子差込ユニット）１の上面図を示した。この検光子インサートは、回転軸１５を備えた外側から作動できる調節ホイル２を設置し且つ挿入方向へ上記調節ホイルから間隔を置いて検光子フレーム（枠ないしソケット）４を設置したホルダ５からなる。検光子フレーム４は、回転軸１６のまわりに回転自在に支持されている。検光子フレーム４には、検光子３が、回転軸１６に対して僅かに傾けて（約３.５°）組込んである。ホルダ５は、検光子３を越えて延びる端部に遊び穴６を有する。
【００１７】
検光子インサート１は、２つのミゾ２９によって２つの係止位置にロックできる。第１係止位置では、空の穴（貫通開口）６は顕微鏡に接合され、かくして、光軸７を含む顕微鏡光路は、干渉されることなく連通できる。検光子インサート１を挿入方向へ第１係止位置を越えて摺動させると、第２係止位置に達し、検光子３は、顕微鏡の光路内に置かれる。検光子フレーム４の回転軸１６は、第２係止位置では、顕微鏡光路内で顕微鏡光軸７と一致する。この際、顕微鏡光路内で望ましくない反射を避けるため、検光子３は、回転軸１６に対して僅かに傾けて（図示してない）、検光子フレーム４に組込んである。検光子の透過（偏光）方向１８を図面に矢印で示した。
【００１８】
調節ホイル２と検光子フレーム４との間には、調節ホイル２の回転運動を検光子フレーム４に伝達し、かくして、検光子３に伝達する２つの等長の調節リンク８，９が設けてある。このため、調節リンク８，９の一端１０，１１および他端１２，１３は、それぞれ、調節ホイル２および検光子フレーム４の縁の近傍の支持軸（枢軸）１４に回転自在に支持（枢支）されている。上記支持軸（複数）１４は、調節ホイルの回転軸１５および検光子フレーム４の回転軸１６に関して、（互いに）９０°の角度をなす２つの等長のレバーアーム１７を夫々形成する。調節リンク８，９は、検光子３に支持された端部１２，１３の方向に沿って弓状に構成され、従って、検光子インサート１を挿入した場合、出発位置において、調節リンク８，９に起因して顕微鏡光路に陰影が生ずることのないようにされている。
【００１９】
検光子３の０°位置に対応する図示の出発位置では、すべての（４つの）支持軸１４は、１つの直線上にあり、双方の調節リンク８，９は、相互に密に近接する２つの平面内に平行に且つ部分的に重畳して位置する。固定ねじ１９によって、検光子３の調節した配位を保持できる。次いで、検光子３の新しい配位を調節する場合には、固定ねじ１９を再びゆるめる。顕微鏡使用者による配位の改善のため、調節ホイル２には角度目盛２２が設けてある。
【００２０】
調節ホイル２を逆時計方向へ回転することによって、図１ｂに示した９０°（回転）位置に検光子３をセットする。検光子３の実際の透過方向１８を図示した。調節ホイル２の運動に対応して、調節リンク８，９の回転自在に支持された端部１０，１１；１２，１３は、更に移動され、かくして、幾分大きい距離において、平行に且つ調節ホイル２および検光子３の両回転軸１５，１６を結ぶ線に関して対称に位置する。
【００２１】
調節ホイル２を逆時計方向へ更に回転することによって、図１ｃに対応する１８０°位置に検光子３をセットする。検光子３の新たに達成された透過方向１８を同じく図示した。この調節状態において、双方の調節リンク８，９は（図中）下方位置にあり、その各支持軸１４は、同じく、１つの直線上に位置する。
【００２２】
図１ａ−ｃに示した検光子インサート１は、厚さ５ｍｍ以下に構成できる特に有利な実施例である。このため、調節リンク８，９は、薄い金属板から作製されており、検光子フレーム４は、特に、意図する偏平な構造形状が得られるよう構成されている。検光子フレームは、平行に配置された２つの円（環）セグメント（部分円環）状スリット２０，２１を有し、これらスリットには、調節リンク８，９の端部１２，１３が夫々差込まれて案内されている。この場合、スリット２０は、上部調節リンク８の受け（案内部）として役立ち、検光子フレーム４の表面に切欠き部として加工されている。スリット２１は、下部調節リンク９の受けとして役立ち、検光子フレーム４にスリット２０の下方に加工形成されている。
【００２３】
調節リンク８，９は、平行に配置された各スリット２０，２１によって、異なる平面上を走行する。従って、図１ａ−ｃにおいて、調節リンク８は、上にあるレバーとして示してあり、調節リンク９は、図１ａ−ｃに示した如く、調節リンク８および検光子フレーム４によって部分的に被われた下に位置するレバーとして示してある。関連の各支持軸１４は、対応して、スリット２０，２１に挿入されている。スリット２０，２１は、更に、同じ寸法ないし範囲に構成できる。
【００２４】
図１ａ−ｃから明らかな如く、スリット２０，２１は、異った様々な検光子位置の調節時に、一緒に旋回される。０°位置においても１８０°位置においても、更にスリット２０，２１によって、検光子フレーム４の回転範囲は最大１８０°に制限され、かくして、調節ホイル２の回転範囲も最大１８０°に制限される。かくして、調節リンク８，９が検光子表面上に旋回して顕微鏡の光路を遮蔽することはありえない。調節リンク８，９の薄い金属板が、関連のスリットの当該の端部に衝突しないよう、図３を参照して説明する如きオーバラン防止部材を付加的に設置すれば有利である。
【００２５】
図２に、スリット２０，２１を備えた本発明に係る検光子フレーム４の拡大図を示した。図２は、図１ｃの線ＢＢ´に沿う断面図に対応する。同図に、検光子３を組込んだ検光子フレーム４および透光性窓２４を備えた金属薄板製カバー２３を示した。有利には、上部スリット２０は、検光子フレーム４の表面のフライス切削部（切欠き部）として構成されており、下部スリット２１は、検光子フレーム４内部に埋込んだスリットとして構成されている。上部スリット２０の上縁は、カバー２３で被われているので、検光子フレーム４は、特に薄く構成できる。
【００２６】
上部スリット２０には、上記断面図に示した上部調節リンク８が導入されている。下部スリット２１には、上記断面図には示してない下部調節リンク９が導入されている。調節リンク８，９は、金属薄板から作製されているので、スリット２０，２１は、極めて偏平に構成されている。
【００２７】
検光子フレーム４に極めて偏平なスリット２０，２１をスペースを取らないよう設置したことによって、検光子インサート１の厚さは、ほぼ、検光子フレーム４自体の厚さのみによって決定される。この場合、このことは、顕微鏡光路の邪魔になる反射を避けるため検光子３を回転軸１６に対して僅かに傾斜させて（例えば、３.５°傾斜させて）検光子フレーム４に組込むことによって、行われる。検光子インサート１の挿入状態では、検光子３の回転軸１６は、顕微鏡の光軸７と一致する。
【００２８】
図３に、検光子インサート１の縦断面図を示した。同図に、回転軸１５を含む調節ホイル２および回転軸１６を含む検光子フレーム４内の検光子３を示した。双方の部材は、ホルダ５に設置されている。検光子インサート１の図示の係止位置では、空の穴（貫通開口）６の中心は、顕微鏡の光軸７上にある。他の係止位置に全検光子インサート１を摺動することによって、検光子３を空の穴の代わりに顕微鏡光路に導入でき、かくして、検光子フレーム４の回転軸１６を顕微鏡の光軸７と一致させることができる。調節ホイル２は、駆動ボルト２６を介して、上に載るフランジ２５に結合されており、かくして、フランジ２５は、調節ホイル２のすべての運動に追従する。適切な検光子位置を固定するための固定ねじ１９は、フランジ２５に作用する。
【００２９】
金属薄板から作製された調節リンク８，９の一端は、支持軸１４によってフランジ２５に支持されており、他端は、支持軸１４によって検光子フレーム４に支持されている。この場合、支持軸１４は、安価なピンからなる。図面は、僅かに拡大してあるに過ぎないので、検光子フレーム４のスリット２０，２１は図示できない。
【００３０】
調節リンク８，９の位置は、出発位置、即ち、検光子３の０°位置に対応する。上記位置のオーバランを阻止するため、検光子インサート１は、オーバラン防止部材を備えている。オーバラン防止部材は、検光子３の０°位置に対応して調節ホイル２に設置された突出ピン２７からなる。ホルダ５には、上記ピン２７の旋回範囲に、ストッパねじ２８が設置されている。０°位置に達すると、ピン２７は、上記ストッパねじ２８にぶつかり、かくして、所望の位置のオーバランを阻止する。１８０°位置の確保のためにも、同じく、このようなピン（図示してない）が設けてある。
【００３１】
得られた検光子インサートは、極めて偏平である。この検光子インサートは、正確に作動し、しかも、安価に製造できる。本発明は、図示の実施例に限定されるものではなく、請求項１の特徴の他の可能な構成も含む。
【図面の簡単な説明】
【図１】  図１ａは０°位置の検光子インサートの平面図である。
図１ｂは９０°位置の検光子インサートの平面図である。
図１ｃは１８０°位置の検光子インサートの平面図である。
【図２】  調節リンクの案内スリットを含む有利な実施例の検光子フレームの図面である。
【図３】  図１ａ−ｃまたは図２に示した如き検光子インサートの縦断面図である。
【符号の説明】
１  検光子インサート
２  調節ホイル
３  検光子
４  検光子フレーム（枠）
５  ホルダ
６  空の穴（貫通開口）
７  顕微鏡の光軸
８  上部調節リンク
９  下部調節リンク
１０  調節ホイル２にある上部調節リンク８の端部
１１  調節ホイル２にある上部調節リンク９の端部
１２  検光子フレーム４にある上部調節リンク８の端部
１３  検光子フレーム４にある上部調節リンク９の端部
１４  支持軸
１５  調節ホイル２の回転軸
１６  検光子フレーム４の回転軸
１７  レバーアーム
１８  検光子の透過（偏光）方向
１９  固定ねじ
２０  上部調節リンクのための上部スリットまたはフライス切削部
２１  下部調節リンクのための下部スリット
２２  角度目盛
２３  カバー
２４  カバー２３の窓
２５  フランジ
２６  駆動ボルト
２７  ピン
２８  ストッパねじ
２９  ミゾ
【図１】
0004027036.tif 000002
【図２】
0004027036.tif 000003
【図３】
0004027036.tif 000004